【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】  プロジェクタ上の第１のコンピューティングデバイスからのデータを提示する方法であって、
前記プロジェクタの存在、及び前記プロジェクタの１組の機能を自動的に認知するステップと、
前記第１のコンピューティングデバイスに戻るデータ交換セッションを前記プロジェクタが開くように要求を前記プロジェクタに送信するステップと、
前記プロジェクタから接続要求を受信するステップであって、該接続要求の受入れにより、前記第１のコンピューティングデバイスと前記プロジェクタの間のデータ交換接続が開かれるステップと、
前記第１のコンピューティングデバイスから前記プロジェクタに前記データ交換接続を介してデータを送信するステップであって、該データが、前記プロジェクタによって明示されるステップと
を備えたことを特徴とする方法。
【請求項２】  第２のコンピューティングデバイスの存在を自動的に認知するステップと、
前記第１のコンピューティングデバイスに戻るデータ交換セッションを前記第２のコンピューティングデバイスが開くように要求を前記第２のコンピューティングデバイスに送信するステップと、
前記第２のコンピューティングデバイスから接続要求を受け取るステップであって、該接続要求の受入れにより、前記第１のコンピューティングデバイスと前記第２のコンピューティングデバイスとの間でデータ交換接続が開かれるステップと、
前記第１のコンピューティングデバイスからのデータを前記第２のコンピューティングデバイスに、前記第１のコンピューティングデバイスと前記第２のコンピューティングデバイスとの間の前記データ交換接続を介して送信するステップであって、前記第２のコンピューティングデバイスが、前記データを明示することができるステップと
をさらに備えたことを特徴とする請求項１に記載の方法。
【請求項３】  前記第１のコンピューティングデバイスからのデータを前記プロジェクタに送信するステップは、グラフィックス情報、ビデオ情報、音声情報、アニメートされた情報、及びテキスト情報から成るタイプのグループから選択された少なくとも１つのタイプの情報を送信するステップを含むことを特徴とする請求項１に記載の方法。
【請求項４】  前記第１のコンピューティングデバイスからのデータを前記プロジェクタに送信するステップは、音声情報から成る情報を送信するステップを含むことを特徴とする請求項１に記載の方法。
【請求項５】  前記プロジェクタの存在、及び前記プロジェクタの１組の機能を自動的に認知するステップは、ユニバーサルプラグアンドプレイプロトコルを利用して前記プロジェクタを識別するステップを含むことを特徴とする請求項１に記載の方法。
【請求項６】  前記第１のコンピューティングデバイスと前記プロジェクタとの間の前記データ交換接続は、端末サービスクライアントと端末サービスサーバとの間の接続を含み、前記端末サービスクライアントは、前記プロジェクタにおいてホストされ、かつ前記端末サービスサーバは、前記第１のコンピューティングデバイスにおいてホストされることを特徴とする請求項１に記載の方法。
【請求項７】  前記第１のコンピューティングデバイスのビジュアルディスプレイ上で前記データを表示するステップをさらに備えたことを特徴とする請求項１に記載の方法。
【請求項８】  前記第１のコンピューティングデバイスから第２のコンピューティングデバイスに制御を渡すステップであって、前記第２のコンピューティングデバイスが、前記プロジェクタによって明示されるデータを前記プロジェクタに送信することができるステップをさらに備えたことを特徴とする請求項１に記載の方法。
【請求項９】  第２のコンピューティングデバイスが明示されるデータを前記プロジェクタに送信することを防止するステップをさらに備えたことを特徴とする請求項１に記載の方法。
【請求項１０】  コンピューティングデバイスからの表示可能なデータをプロジェクタに投影するためのシステムであって、
前記コンピューティングデバイスによってホストされる投影コントローラと、
前記プロジェクタを自動的に認知するための前記投影コントローラと通信するようにリンクされた発見ツールと、
前記コンピューティングデバイスと前記プロジェクタとの間のデータ交換セッションを受け入れて実行するための、前記投影コントローラと通信するようにリンクされたデータ交換セッションのサーバであって、前記表示可能なデータが、前記コンピューティングデバイスから前記プロジェクタに伝送されるデータ交換セッションのサーバと
を備えたことを特徴とするシステム。
【請求項１１】  前記コンピューティングデバイスは、ラップトップコンピュータ、デスクトップコンピュータ、及びハンドヘルドコンピューティングデバイスから成るグループから選択されたタイプのコンピューティングデバイスであることを特徴とする請求項１０に記載のシステム。
【請求項１２】  前記データ交換セッションは、少なくとも１つの無線リンクを含むネットワークを介するリンクを使用することを特徴とする請求項１０に記載のシステム。
【請求項１３】  前記発見ツールは、ユニバーサルプラグアンドプレイプロトコルに従って動作することを特徴とする請求項１０に記載のシステム。
【請求項１４】  提示するためにコンピューティングデバイスからデータを受信するためのプロジェクタを有する投影システムであって、
前記プロジェクタによってホストされるプロジェクタ制御ポイントと、
前記プロジェクタの存在を公示するための、前記プロジェクタ制御ポイントと通信するようにリンクされたプロジェクタロケータと、
前記コンピューティングデバイスと前記プロジェクタとの間でデータ交換セッションを確立して実行するための、前記プロジェクタ制御ポイントと通信するようにリンクされたデータ交換セッションのクライアントと
を備えたことを特徴とする投影システム。
【請求項１５】  前記データ交換セッションのクライアントは、前記コンピューティングデバイスによってホストされる端末サービスセッションサーバと通信するようにリンクされた端末サービスセッションのクライアントであることを特徴とする請求項１４に記載の投影システム。
【請求項１６】  前記プロジェクタは、前記コンピューティングデバイスが無線リンクを介してリンクされたネットワークインフラストラクチャに、有線リンクを介してリンクされることを特徴とする請求項１４に記載の投影システム。
【請求項１７】  前記プロジェクタ及び前記コンピューティングデバイスは、共通のネットワークインフラストラクチャに無線リンクされることを特徴とする請求項１４に記載の投影システム。
【請求項１８】  前記プロジェクタ及び前記コンピューティングデバイスは、アドホック無線ネットワークを介して無線リンクされることを特徴とする請求項１４に記載の投影システム。
【請求項１９】  提示のための前記データは、グラフィックス情報、ビデオ情報、音声情報、アニメートされた情報、及びテキスト情報から成るタイプのグループから選択された少なくとも１つのタイプの情報を含むことを特徴とする請求項１４に記載の投影システム。
【請求項２０】  前記プロジェクタロケータは、ユニバーサルプラグアンドプレイに従って動作して前記プロジェクタの存在及び機能を公示することを特徴とする請求項１４に記載の投影システム。
【請求項２１】  コンピューティングデバイスからのスクリーンデータをプロジェクタに再現する方法であって、
前記コンピューティングデバイス上に存在する投影目標ロケータから前記プロジェクタの存在の指示を受け取るステップと、
前記投影目標ロケータに、データ交換接続勧誘を前記プロジェクタに伝送させるステップと、
伝送された前記接続勧誘に応答して接続要求を受信し、前記接続要求に応答して前記第１のコンピューティングデバイスと前記プロジェクタとの間でデータ交換接続を開くステップと、
前記データ交換接続を介して前記第１のコンピューティングデバイスからのスクリーンデータを前記プロジェクタに送信するステップであって、前記スクリーンデータが、前記プロジェクタによって表示されるステップと
を備えたことを特徴とする方法。
【請求項２２】  コンピューティングデバイスのスクリーンデータをリモート式に提示するための装置であって、
リモートの表示デバイスを発見するための手段と、
前記リモートの表示デバイスに前記コンピューティングデバイスとの通信セッションを開始するように勧誘するための手段と、
前記リモートの表示デバイスから通信セッション要求を受け入れ、通信セッションを開くための手段と、
前記通信セッションを介して前記コンピューティングデバイスからの前記スクリーンデータを前記リモートの表示デバイスに転送するための手段と
を備えたことを特徴とする装置。
【請求項２３】  リモートの表示デバイスを発見するための前記手段は、ユニバーサルプラグアンドプレイプロトコルに従って発見を実行することを特徴とする請求項２２に記載の装置。
【請求項２４】  前記リモートの表示デバイスに前記コンピューティングデバイスとの通信セッションを開始するように勧誘するための手段は、前記通信セッションを開始するのに使用されるセッションチケットを生成するための手段を含むことを特徴とする請求項２２に記載の装置。
【請求項２５】  提示のために表示データをコンピューティングデバイスから受信するための大型会場表示デバイスを有する投影システムであって、
前記表示デバイスによってホストされる制御ポイントと、
前記表示デバイスの存在を公示するための、前記表示デバイス制御ポイントと通信するようにリンクされたロケータと、
前記コンピューティングデバイスと前記表示デバイスとの間でデータ交換セッションを確立して実行するための、前記表示デバイス制御ポイントと通信するようにリンクされたデータ交換セッションのクライアントと
を備えたことを特徴とする投影システム。
【請求項２６】  コンピューティングデバイスからのデータをリモートのプロジェクタ上に提示する方法を行うためのコンピュータ実行可能命令を有するコンピュータ読み取り可能な記録媒体であって、
前記方法は、
前記リモートのプロジェクタの存在、及び前記リモートのプロジェクタの１組の機能を自動的に確認するステップと、
前記コンピューティングデバイスに戻るデータ交換セッションを前記リモートのプロジェクタが開くように要求を前記リモートのプロジェクタに送信するステップと、
前記リモートのプロジェクタから接続要求を受信するステップであって、前記接続要求の受入れによって前記コンピューティングデバイスと前記リモートのプロジェクタとの間でデータ交換接続が開かれるステップと、
前記データ交換接続を介して前記コンピューティングデバイスからのデータを前記リモートのプロジェクタに送信するステップであって、前記データが、前記リモートのプロジェクタによって明示されるステップと
を備えたことを特徴とするコンピュータ読み取り可能な記録媒体。
【請求項２７】  コンピューティングデバイスからのデータをリモートのプロジェクタ上で提示する方法を行うためのコンピュータ実行可能命令を有するコンピュータ読み取り可能な記録媒体であって、
前記方法は、
前記リモートのプロジェクタの機能の指示を前記リモートのプロジェクタから前記コンピューティングデバイスに伝送するステップと、
前記リモートのプロジェクタが前記コンピューティングデバイスに対するデータ交換セッションを開く要求を前記コンピューティングデバイスから前記リモートのプロジェクタにおいて受信するステップと、
接続要求を前記リモートのプロジェクタから前記コンピューティングデバイスに送信するステップであって、前記コンピューティングデバイスによる前記接続要求の受入れにより、前記コンピューティングデバイスと前記リモートのプロジェクタとの間でデータ交換接続が開かれるステップと、
前記データ交換接続を介して前記コンピューティングデバイスから前記リモートのプロジェクタにおいてデータを受信するステップと、
受信された前記データが、人間が知覚することができる形で明示されるようにするステップ
とを備えたことを特徴とするコンピュータ読み取り可能な記録媒体。